(57)【要約】【課題】橋梁の下部構造物と上部構造物との間の相対移動を円滑に案内および制限すると共に、構成部材の交換を容易にした鋼製支承および該鋼製支承を有する橋梁を提供することを目的とする。【解決手段】鋼製支承は、下シュー１０、中シュー３０、上シュー５０に着脱自在に設置され、中シュー３０の両側面を橋軸直角方向に移動自在に案内する中シューガイド２０、中シュー３０上に移動自在に載置される上シュー５０、中シュー３０に着脱自在に設置され、上シュー５０の両側面を橋軸方向に移動自在に案内する上シューガイド４０、を有する。中シューガイド２０の一方を撤去して中シュー３０を橋軸方向に移動したり、上シューガイド４０の一方を撤去して上シュー５０を橋軸直角方向に移動したりできる。中シューガイド２０および上シューガイド４０は単独で撤去することができ、滑り材等の部材の交換が容易である。【選択図】図１
2007182707.tif 000002
【特許請求の範囲】
【請求項１】
下部構造物に接合される下シューと、
該下シューに着脱自在に設置された中シューと、
該中シュー上に移動自在に載置され、上部構造物が接合される上シューと、
前記中シューに着脱自在に設置され、前記上シューを橋軸方向に移動自在に案内する上シューガイドと、を有し、
前記上シューガイドの一方を撤去することにより、前記中シューを橋軸直角方向に移動可能にすることを特徴とする鋼製支承。
【請求項２】
下部構造物に接合される下シューと、
該下シュー上に移動自在に載置された中シューと、
前記下シューに着脱自在に設置され、前記中シューを橋軸直角方向に移動自在に案内する中シューガイドと、
該中シュー上に移動自在に載置され、上部構造物が接合される上シューと、
前記中シューに着脱自在に設置され、前記上シューを橋軸方向に移動自在に案内する上シューガイドと、を有し、
前記上シューガイドの一方を撤去することにより、前記中シューを橋軸直角方向に移動可能にすることを特徴とする鋼製支承。
【請求項３】
前記上シューガイドの前記上シューを案内する側面および前記中シューの前記中シューガイドによって案内される側面に、それぞれ滑り材が設置されることを特徴とする請求項２記載の鋼製支承。
【請求項４】
前記中シューに橋軸方向の中シュー溝が形成され、  
前記上シューガイドに前記中シュー溝に侵入自在な上シューガイド突起が形成され、
前記上シューガイドに橋軸直角方向の力が作用した際、該橋軸直角方向の力が前記中シュー溝と前記上シューガイド突起との間で受け渡されることを特徴とする請求項１乃至３の何れかに記載の鋼製支承。
【請求項５】
前記上シューガイドが橋軸方向で複数の上シュー分割ガイドに分割されることを特徴とする請求項１乃至４の何れかに記載の鋼製支承。
【請求項６】
前記下シューに橋軸直角方向の下シュー溝が形成され、  
前記中シューガイドに前記下シュー溝に侵入自在な中シューガイド突起が形成され、
前記中シューガイドに橋軸方向の力が作用した際、該橋軸方向の力が前記下シュー溝と前記中シューガイド突起との間で受け渡されることを特徴とする請求項２乃至５の何れかに記載の鋼製支承。
【請求項７】
前記中シューガイドが橋軸方向で複数の中シュー分割ガイドに分割され、該中シュー分割ガイドのそれぞれが前記下シューに着脱自在に設置されることを特徴とする請求項２乃至６の何れかに記載の鋼製支承。
【請求項８】
前記中シューに凹部が形成され、該凹部に要部が設置されることを特徴とする請求項１乃至７の何れかに記載の鋼製支承。
【請求項９】
地面に立設された下部構造物と、
該下部構造物に接合された請求項１乃至８の何れかに記載の鋼製支承と、
該鋼製支承に接合された上部構造物と、を有することを特徴とする橋梁。
【発明の詳細な説明】
【技術分野】
【０００１】
本発明は、橋梁の下部構造物と上部構造物との間に設置される鋼製支承、及びこの鋼製支承を有する橋梁に関すものである。
【背景技術】
【０００２】
鋼製支承は、橋梁の下部構造物と上部構造物との間の相対移動を、一定の範囲で許容すると共に、一定の範囲を超える相対移動は制限するものである。たとえば、上部構造物の下面に固定された上沓（上シュー）と、下部構造物の上面に固定された下沓（下シュー）と、上沓と下沓との間に配置された中シューと、上沓に対する中シューの水平第１方向（橋軸方向）への相対移動を所定長さ範囲で許す第１水平移動制限手段と、下沓に対する中シューの第１方向と直交する水平第２方向（橋軸直角方向）への相対移動を所定長さ範囲で許す第２水平移動制限手段と、鉛直荷重を支持する鉛直移動制限手段とを備えた発明が開示されている（例えば、特許文献１参照）。
【０００３】
【特許文献１】特開２０００−１１０１１５号公報（第３−４頁、図３）
【発明の開示】
【発明が解決しようとする課題】
【０００４】
ところで、前記特許文献に開示された発明は、第１水平移動制限手段および第２水平移動制限手段が、正方形の突起が長方形の凹部に嵌入するものであるため、凸部は凹部の短辺に摺動しながら凹部の長辺方向に移動するものであるため、以下の問題があった。
（イ）凸部が凹部の短辺に直接当接して摺動するため、摺動部が摩耗すると共に、摺動に伴って異音が発生する場合がある。
（ロ）上沓（上シュー）、下沓（下シュー）、あるいは中シューの何れかを交換しようとすると、下部構造物（ベース）の「はつり作業」の後、部材間で上下方向の隙間を形成し、前記凸部を前記凹部から抜き出す必要があり、作業が容易でない。
（ハ）仮に、前記摺動部に摺動を円滑にするためのライナー等を設置した場合、かかるライナー等を交換しようとすると、前記中シューの交換と同様に「はつり作業」を必要とし、ライナー等の交換作業が容易でない。
【０００５】
そこで、本発明は、前記問題を解決するためになされたものであって、橋梁の下部構造物と上部構造物との間の相対移動を円滑に案内および制限すると共に、中シュー等の交換およびライナー等の交換を容易にし、さらに、かかる交換をしている間であっても、中シュー等に作用する水平方向の力を一部支持可能にする、鋼製支承および該鋼製支承を有する橋梁を提供することを目的とする。
【課題を解決するための手段】
【０００６】
（１）本発明に係る鋼製支承は、下部構造物に接合される下シューと、
該下シューに着脱自在に設置された中シューと、
該中シュー上に移動自在に載置され、上部構造物が接合される上シューと、
前記中シューに着脱自在に設置され、前記上シューを橋軸方向に移動自在に案内する上シューガイドと、を有し、
前記上シューガイドの一方を撤去することにより、前記中シューを橋軸直角方向に移動可能にすることを特徴とする。
【０００７】
（２）さらに、下部構造物に接合される下シューと、
該下シュー上に移動自在に載置された中シューと、
前記下シューに着脱自在に設置され、前記中シューを橋軸直角方向に移動自在に案内する中シューガイドと、
該中シュー上に移動自在に載置され、上部構造物が接合される上シューと、
前記中シューに着脱自在に設置され、前記上シューを橋軸方向に移動自在に案内する上シューガイドと、を有し、
前記上シューガイドの一方を撤去することにより、前記中シューを橋軸直角方向に移動可能にすることを特徴とする。
【０００８】
（３）また、前記上シューガイドの前記上シューを案内する側面および前記中シューの前記中シューガイドによって案内される側面に、それぞれ滑り材が設置されることを特徴とする。
【０００９】
（４）そして、前記中シューに橋軸方向の中シュー溝が形成され、  
前記上シューガイドに前記中シュー溝に侵入自在な上シューガイド突起が形成され、
前記上シューガイドに橋軸直角方向の力が作用した際、該橋軸直角方向の力が前記中シュー溝と前記上シューガイド突起との間で受け渡されることを特徴とする。
【００１０】
（５）また、前記上シューガイドが橋軸方向で複数の上シュー分割ガイドに分割されることを特徴とする。
【００１１】
（６）また、前記下シューに橋軸直角方向の下シュー溝が形成され、  
前記中シューガイドに前記下シュー溝に侵入自在な中シューガイド突起が形成され、
前記中シューガイドに橋軸方向の力が作用した際、該橋軸方向の力が前記下シュー溝と前記中シューガイド突起との間で受け渡されることを特徴とする。
【００１２】
（７）また、前記中シューガイドが橋軸方向で複数の中シュー分割ガイドに分割され、該中シュー分割ガイドのそれぞれが前記下シューに着脱自在に設置されることを特徴とする。
【００１３】
（８）また、前記中シューに凹部が形成され、該凹部に要部が設置されることを特徴とする。
【００１４】
（９）さらに、本発明に係る橋梁は、地面に立設された下部構造物と、
該下部構造物に接合された前記（１）乃至（８）の何れかに記載の鋼製支承と、
該鋼製支承に接合された上部構造物と、を有することを特徴とする。
【発明の効果】
【００１５】
本発明に係る鋼製支承は以上の構成であるから、以下の効果を奏する。
（ｉ）下シューと中シューと上シューと上シューガイドとを有し、上シューガイドの一方を撤去することにより、中シューを橋軸直角方向に移動可能にするから、下部構造物（ベース等を含む）を「はつる」ことなく、中シューを抜き出すことができるため、中シュー自体や中シューに設置された各種部材（要部の一部または全部）の交換が容易になる。なお、本発明において、シールリング、滑り板、中間プレート、ゴムプレート等をまとめて「要部」と総称している。
【００１６】
（ｉｉ）また、下シューと、中シューと、中シューガイドと、上シューと、上シューガイドと、を有し、上シューガイドの一方を撤去することにより、中シューを橋軸直角方向に移動可能にするから、下部構造物（ベース等を含む）を「はつる」ことなく、中シューを抜き出すことができるため、中シュー自体や中シューに設置された各種部材（要部等）の交換が容易になる。
【００１７】
（ｉｉｉ）また、上シューガイドの上シューを案内する側面および中シューの中シューガイドによって案内される側面に、それぞれ滑り材が設置されるから、案内が円滑になると共に、摩耗部位が限定される。
【００１８】
（ｉｖ）そして、上シューガイドに橋軸直角方向の力が作用した際、該橋軸直角方向の力が中シュー溝と上シューガイド突起との間で受け渡されるから、当該部位において前記力が確実に支持されるため、上シューガイドを設置する設置手段（たとえば、ボルト等）を簡素にすることができる。
【００１９】
（ｖ）また、上シューガイドが橋軸方向で複数の上シュー分割ガイドに分割されるから、上シュー分割ガイドの一方を取り外しても、他方の上シュー分割ガイドが上シューを案内しているため、かかる取り外し中に橋軸直角方向の力が作用しても、上シューが橋軸直角方向に移動することがない。
【００２０】
（ｖｉ）また、中シューガイドに橋軸方向の力が作用した際、該橋軸方向の力が前記下シュー溝と前記中シューガイド突起との間で受け渡されるから、当該部位において前記力が確実に支持されるため、中シューガイドを設置する設置手段（たとえば、ボルト等）を簡素にすることができる。
【００２１】
（ｖｉｉ）また、中シューガイドが橋軸方向で複数の中シュー分割ガイドに分割されるから、中シュー分割ガイドの一方を取り外しても、他方の中シュー分割ガイドが中シューを案内しているため、かかる取り外し中に橋軸方向の力が作用しても、中シューが橋軸方向に移動することがない。
【００２２】
（ｖｉｉｉ）また、中シューに凹部が形成され、該凹部に要部（シールリング、滑り板、中間プレート、ゴムプレート等）が設置されるから、中シューを取り外すだけで、要部の一部または全部（たとえば、滑り板）を交換することができる。
【００２３】
（ｉｘ）さらに、本発明に係る橋梁は、前記（１）乃至（８）の何れかに記載の鋼製支承を有するから、上シューおよび下シューの案内が円滑になると共に、摩耗部位が限定され、また、摩耗部位を容易に取り替えることができる。なお、本発明において「地面」とは、文字通り陸地の地面を意味すると共に、海洋における海底や、河川における河床等を意味している。
【発明を実施するための最良の形態】
【００２４】
［実施形態１：一方向移動鋼製支承］
（構成）
図１は本発明の実施形態１に係る鋼製支承を説明する構成図であって、（ａ）は側面図（橋軸方向が見えている）、（ｂ）は正面図（橋軸直角方向が見えている）である。
図１において、鋼製支承１は、図示しない下部構造物に接合される下シュー１００と、下シュー１００に着脱自在に設置された中シュー３００と、中シュー３００上に移動自在に載置され、上部構造物９が接合される上シュー５０とを有している。また、中シュー３００に着脱自在に設置され、上シュー５０の一方の側面５１ａを橋軸方向に移動自在に案内する上シューガイド４０１ａ、４０２ａと、上シュー５０の他方の側面５１ｂを橋軸方向に移動自在に案内する上シューガイド４０１ｂ、４０２ｂとを有している。
なお、上シューガイド４０１ａ、４０２ａは同じものであるため、それぞれを「上シューガイド４０ａ」と称し、同様に、上シューガイド４０１ｂ、４０２ｂは同じものであるため、それぞれを「上シューガイド４０ｂ」と称す。また、共通する内容を説明する際、添え字「ａ、ｂ」を省略して「上シューガイド４０」と総称する場合がある。
【００２５】
（中シュー）
中シュー３００の橋軸方向の両側面の底面近くには、取り付けフランジ３１ｃ、３１ｄが設けられ、取り付けフランジ３１ｃ、３１ｄを貫通する取り付けボルト１９ｃ、１９ｄによって、中シュー３００は下シュー１００に固定されている。
また、中シュー３００の上面は平坦であって、橋軸直角方向で、断面略矩形状の２条の中溝（凹部に同じ）３２ａ、３２ｂが形成されている。
さらに、中シュー３００の上面の中央に、図示しない凹部が形成され、該凹部にシールリング６１、滑り板６２、中間プレート６３、ゴムプレート６４（以下、まとめて「要部６０」と称する）が配置されている。
【００２６】
（上シュー）
上シュー５０の橋軸直角方向の両側面５１ａ、５１ｂの底面近くには、浮き上がり防止フランジ（突起に同じ）５３ａ、５３ｂが設けられている。
【００２７】
（上シューガイド）
上シューガイド４０ａ、４０ｂは、底面に断面略矩形の突起４２ａ、４２ｂが形成され、側面４１ａ、４１ｂの上面近くに浮き上がり防止フランジ４３ａ、４３ｂが形成され、側面４１ａ、４１ｂの浮き上がり防止フランジ４３ａ、４３ｂの下方に、滑り材（ライナー）４４ａ、４４ｂが設置されている。そして、上シューガイド４０ａ、４０ｂは取り付けボルト３９ａ、３９ｂによって中シュー３００に設置されている。
このとき、突起４２ａ、４２ｂは、中シュー３００に形成された中溝３２ａ、３２ｂに嵌入している。また、浮き上がり防止フランジ４３ａ、４３ｂは、上シュー５０の浮き上がり防止フランジ５３ａ、５３ｂの直上に位置し、上シュー５０の浮き上がりを防止している。また、上シュー５０の浮き上がり防止フランジ５３ａ、５３ｂの側面は滑り材（ライナー）４４ａ、４４ｂに当接または所定の隙間を空けて対峙しているから、上シュー５０は上シューガイド４０に押し付けられても、橋軸方向で容易に滑ることになる。
【００２８】
（要部の取り外し）
図２は本発明の実施形態１に係る鋼製支承における上シューガイドおよび中シューの取り外しを説明する正面図（橋軸直角方向が見えている）である。
図２の（ａ）において、上シューガイド４０１ｂを固定している取り付けボルト３９ｂの一部を撤去しているから、上シューガイド４０１ｂは中シュー３００から容易に取り外される。このとき、上シューガイド４０１ｂの突起４０２ｂは中溝３２ｂに嵌入しているから、上シューガイド４０１ｂを橋軸方向に移動させ、中シュー３００を外れた位置で、撤去してもよいし、スライドしないで、撤去してもよい。
【００２９】
そして、上シューガイド４０１ｂに設置されていた摩耗したライナー４４ｂを新品に取り替えた後、前記とは反対の工程によって、上シューガイド４０１ｂを中シュー３００に再度設置することができる。
なお、上シューガイド４０１ｂが撤去された状態でも、上シューガイド４０２ｂは中シュー３００に依然設置されているから、かかる状態で上シュー５０に橋軸直角方向の力が作用しても、上シュー５０が橋軸直角方向に大きく移動することがない。
したがって、前記作業を全ての上シューガイド４０ａ、４０ｂについて実施すれば、上シュー５０を橋軸直角方向に案内したまま、全てのライナー４４ａ、４４ｂを容易に取り替えることができる。
【００３０】
図２の（ｂ）において、一方側に設置されていた上シューガイド４０１ｂおよび４０２ｂが撤去されている。また、中シュー３００を固定していた取り付けボルト１９ｃ、１９ｄも撤去されている。したがって、中シュー３００は橋軸直角方向に移動自在になっている。
図２の（ｃ）において、中シュー３００は橋軸直角方向に移動されているから、上面の凹部に配置されていた要部の一部または全部６０を取り替えることが可能になっている。
図２の（ｄ）において、要部の一部または全部６０を取り替えている。すなわち、上から、シールリング６１、滑り板６２、中間プレート６３、ゴムプレート６４が図示されている。
したがって、下シュー１００は図示しない下部構造物に、また、上シュー５０は上部構造物９にそれぞれ設置したままで、下部構造物を「はつる」ことなく、要部の一部または全部６０（たとえば、滑り板６２）を容易に取り替えることが可能になる。
【００３１】
［実施形態２：二方向移動鋼製支承］
（構成）
図３および図４は、本発明の実施形態２に係る鋼製支承を説明する構成図であって、図１の（ａ）は側面図（橋軸方向が見えている）、図１の（ｂ）は平面図、図２は正面図（橋軸直角方向が見えている）である。なお、実施の形態１（図１、２）と同じ部分または相当する部分には同じ符号を付し、一部の説明を省略する。
図３および図４において、鋼製支承２は、図示しない下部構造物に接合される下シュー１０と、下シュー１０に着脱自在に設置された中シュー３０と、中シュー３０上に移動自在に載置され、上部構造物９が接合される上シュー５０とを有している。そして、上シュー５０は上シューガイド４０によって橋軸方向に移動自在に設置されている（実施形態１に同じ）
【００３２】
また、下シュー１０に着脱自在に設置され、中シュー３０の一方の側面３１ｃを橋軸直角方向に移動自在に案内する中シューガイド２０１ｃ、２０２ｃと、中シュー３０の他方の側面３１ｄを橋軸直角方向に移動自在に案内する中シューガイド２０１ｄ、２０２ｄとを有している。
なお、中シューガイド２０１ｃ、２０２ｃは同じものであるため、それぞれを「中シューガイド２０ｃ」と称し、同様に、中シューガイド２０１ｄ、２０２ｄは同じものであるため、それぞれを「中シューガイド２０ｄ」と称す。また、共通する内容を説明する際、添え字「ａ、ｂ」を省略して「中シューガイド２０」と総称する場合がある。
したがって、中シュー３０は下シュー１０に対して橋軸直角方向に移動自在であるから、結局、上シュー５０は下シュー１０に対して、全方向（橋軸方向および橋軸直角方向）に移動自在になっている。
【００３３】
（下シュー）
下シュー１０は、図示しない下部構造物に設置されるものであって、橋軸直角方向に断面略矩形の下溝（凹部に同じ）１２ｃ、１２ｄが形成されている。
【００３４】
（中シュー）
中シュー３０の橋軸方向の両側面の底面近くには、取り付けフランジ３１ｃ、３１ｄが設けられている。そして、取り付けフランジ３１ｃ、３１ｄの側面には滑り材（ライナー）３４ｃ、３４ｄが設置されている。
また、中シュー３００の上面は平坦であって、橋軸直角方向で、断面略矩形状の２条の中溝（凹部に同じ）３２ａ、３２ｂが形成されている。さらに、中シュー３００の上面の中央に、図示しない凹部が形成され、該凹部に要部６０（シールリング６１、滑り板６２、中間プレート６３、ゴムプレート６４）が配置されている（実施形態１に同じ）。
【００３５】
（中シューガイド）
中シューガイド２０ｃ、２０ｄは、下面に断面略矩形状の突起２２ｃ、２２ｄが形成され、一方の側面２１ｃ、２１ｄの上面近くに浮き上がり防止フランジ２３ｃ、２３ｄが形成されている。そして、側面２１ｃ、２１ｄには滑り材（ライナー）２４ｃ、２４ｄが設置されている。そして、中シューガイド２０ｃ、２０ｄは、取り付けボルト１９ｃ、１９ｄによって下シュー１０に設置されている。
このとき、突起２２ｃ、２２ｄは、下シュー１０に形成された下溝１２ｃ、１２ｄに嵌入している。したがって、中シュー３０に橋軸方向の力が作用しても、かかる力は、突起２２ｃと下溝１２ｃとの間、あるいは、突起２２ｄと下溝１２ｄとの間で支持されるから、取り付けボルト１９ｃ、１９ｄにせん断力が作用することがない。
また、浮き上がり防止フランジ２３ｃ、２３ｄは、中シュー３０の浮き上がり防止フランジ３３ｃ、３３ｄの直上に位置し、中シュー３０の浮き上がりを防止している。さらに、中シュー３０の浮き上がり防止フランジ３３ｃ、３３ｄの側面には滑り材（ライナー）３４ｃ、３４ｄが設置されているから、中シュー３０は中シューガイド２０に押し付けられても、橋軸直角方向で容易に滑ることになる。
【００３６】
（中シューガイドの交換）
図５は本発明の実施形態２に係る鋼製支承における中シューガイドの交換および中シューガイドに設置された滑り材の交換を説明する正面図（橋軸直角方向が見えている）である。
図５の（ａ）において、中シューガイド２０１ｃを固定している取り付けボルト１９ｃを撤去しているから、中シューガイド２０１ｃは下シュー１０から容易に取り外される。このとき、中シューガイド２０１ｃの突起２２ｃは下溝１２ｃに嵌入しているから、中シューガイド２０１ｃを橋軸直角方向に移動させ、下シュー１０を外れた位置で、撤去してもよいし、スライドしないで、撤去してもよい。
【００３７】
そして、中シューガイド２０１ｃを新品に取り替えた後、前記とは反対の工程によって、中シューガイド２０１ｃを下シュー１０に再度設置することができる。
なお、中シューガイド２０１ｃが撤去された状態でも、中シューガイド２０２ｃは下シュー１０に依然設置されているから、かかる状態で中シュー３０に橋軸方向の力が作用しても、中シュー３０が橋軸方向に大きく移動することがない。
したがって、前記作業を全ての中シューガイド２０ｃ、２０ｄについて実施すれは、中シュー３０を橋軸方向に案内したまま、全ての中シューガイド２０ｃ、２０ｄを交換することができる。
【００３８】
（中シューガイドに設置された滑り材の交換）
図５の（ｂ）において、中シューガイド２０１ｃ、２０２ｃを固定している取り付けボルト１９ｃが撤去され、中シューガイド２０１ｃ、２０２ｃはそれぞれ橋軸直角方向で反対方向にスライドされている。このとき、中シュー３０の一方の側面３１ｃが露出、すなわち、側面３１ｃに設置されていた滑り材（ライナー）３４ｃが露出している。
図５の（ｃ）において、側面３１ｃに設置されていた滑り材３４ｃ（単斜線にて示す）を撤去している。
図５の（ｄ）において、側面３１ｃに新しい滑り材３４ｃ（複斜線にて示す）を設置している。
図５の（ｅ）において、中シューガイド２０１ｃ、２０２ｃを中央寄りにスライドさせて、取り付けボルト１９ｃによって下シュー１０に固定している。
【００３９】
したがって、中シュー３０を鋼製支承２に設置したまま、中シュー３０に設置された滑り材（ライナー）３４ｃ、３４ｄを容易に交換することができる。
【００４０】
（要部の交換）
さらに、図５の（ｂ）において、中シュー３０は橋軸直角方向にスライド自在であるから、かかる状態において、中シュー３０を橋軸直角方向に移動させれば、中シュー３０の上面の凹部に配置されていた要部の一部または全部６０（たとえば、滑り板６２）を取り替えることができる。このとき、前記移動の際、上シューガイド４０は中シュー３０に設置されたままでも、上シューガイド４０は中シュー３０から撤去されていてもよい。
したがって、下シュー１０は図示しない下部構造物に、また、上シュー５０は図示しない上部構造物にそれぞれ設置したままで、下部構造物を「はつる」ことなく、要部の一部または全部６０（たとえば、滑り板６２）を容易に取り替えることが可能になる。
【００４１】
（上シューガイドの交換）
図６は本発明の実施形態２に係る鋼製支承における上シューガイドの交換を説明する側面図（橋軸方向が見えている）である。
図６の（ａ）において、上シューガイド４０２ａを固定している取り付けボルト３９ａを撤去しているから、上シューガイド４０２ａは中シュー３０から容易に取り外される。  このとき、上シューガイド４０２ａの突起４２ｃは中溝３２ａに嵌入しているから、上シューガイド４０２ａを橋軸方向に移動させて中シュー３０を外れた位置で、撤去してもよいし、スライドしないで、撤去してもよい。なお、上シューガイド４０２ａを撤去した状態において、上シューガイド４０１ａは中シュー３０に固定されているから、上シュー５０に橋軸直角方向の力が作用しても、該力を上シューガイド４０１ａが支えることになる。すなわち、上シューガイド４０２ａを交換する間であっても、上シュー５０の橋軸直角方向の過剰な移動が防止されている。
【００４２】
図６の（ｂ）において、上シューガイド４０２ａを新品（または、新品滑り材（ライナー）が設置されたもの）に取り替えた後、前記とは反対の工程によって、上シューガイド４０２ａを中シュー３０に再度設置している。
【００４３】
図６の（ｃ）において、上シューガイド４０２ａと同様（図６の（ａ）参照）に、上シューガイド４０１ａを中シュー３０から撤去している。このとき、前記同様、上シューガイド４０１ａを交換する間であっても、上シュー５０の橋軸直角方向の過剰な移動が防止されている。
【００４４】
図６の（ｄ）において、上シューガイド４０２ａと同様（図６の（ａ）参照）に、上シューガイド４０１ａを新品（または、新品滑り材（ライナー）が設置されたもの）に取り替えた後、前記とは反対の工程によって、上シューガイド４０１ａを中シュー３０に再度設置している。
【００４５】
よって、前記工程によって、常に、上シュー５０の橋軸直角方向の過剰な移動が防止された状態で、上シューガイド４０２ａおよび上シューガイド４０１ａ、すなわち、上シューガイド４０ａを交換することができる。
また、同様に、上シュー５０の橋軸直角方向の過剰な移動が防止された状態で、上シューガイド４０２ｂおよび上シューガイド４０１ｂ、すなわち、上シューガイド４０ｂを交換することができる。
【００４６】
［実施形態３：橋梁］
（構成）
図７は、本発明の実施形態３に係る橋梁の構成を説明する正面図（橋軸直角方向が見えている）である。図７において、橋梁３は、地面に立設された下部構造物４と、下部構造物４に接合された鋼製支承２（実施形態２参照）と、鋼製支承２に接合された上部構造物５と、を有している。下部構造物４は、地面（海底、河床等を含む）に設置された橋脚（台座等を含む）である。また、上部構造物５は、床版５ａと、床版５ａを支持する主桁５ｂと、主桁５ｂ同士を連結する横桁５ｃとを具備している。なお、本発明において、下部構造物４および上部構造物５の形態や、鋼製支承２の配置は、図示するものに限定するものではない。
【００４７】
したがって、鋼製支承２が前述の作用効果を奏するものであるから、地震に対する、あるいは季節間や昼夜間の温度差に対する、信頼性・保全性が向上している。
さらに、鋼製支承２（実施形態２参照）に替えて鋼製支承１（実施形態１参照）を設置すれば、鋼製支承１が前述の作用効果を奏するものであるから、同様に信頼性・保全性が向上するものである。
【産業上の利用可能性】
【００４８】
本発明によれば、橋梁の下部構造物と上部構造物との間の相対移動を円滑に案内および制限すると共に、部材の交換が容易であるから、各種橋梁および各種橋梁に設置される鋼製支承として広く利用することができる。
【図面の簡単な説明】
【００４９】
【図１】本発明の実施形態１に係る鋼製支承を説明する構成図であって、側面図等。
【図２】図１に示す上シューガイドおよび中シューの取り外しを説明する正面図。
【図３】本発明の実施形態２に係る鋼製支承を説明する構成図であって、側面図等。
【図４】発明の実施形態２に係る鋼製支承を説明する構成図であって、正面図。
【図５】図３に示す中シューガイド等の交換を説明する正面図。
【図６】図３に示す上シューガイドの交換を説明する側面図。
【図７】本発明の実施形態３に係る橋梁の構成を説明する正面図。
【符号の説明】
【００５０】
１ 鋼製支承
２ 鋼製支承
３ 橋梁
４ 下部構造物
５ 上部構造物
９ 上部構造物
１０ 下シュー
１２ｃ、１２ｄ 下溝
１９ｃ、１９ｄ 取り付けボルト
２０ｃ、２０ｄ 中シューガイド
２１ｃ、２１ｄ 側面
２２ｃ、２２ｄ 突起
２３ｃ、２３ｃ 浮き上がり防止フランジ
３０ 中シュー
３１ｃ、３１ｄ 側面
３２ａ、３２ｂ 中溝
３３ｃ、３３ｄ 浮き上がり防止フランジ
３４ｃ、３４ｄ 滑り材（ライナー）
３９ａ、３９ｂ ボルト
４０ａ、４０ｂ 上シューガイド
４１ａ、４１ｂ 側面
４２ａ、４２ｂ 突起
４３ａ、４３ｂ 浮き上がり防止フランジ
４４ａ、４４ｂ 滑り材（ライナー）
５０ 上シュー
５１ａ、５１ｂ 側面
５３ａ、５３ｂ 浮き上がり防止フランジ
６０ 要部
６１ シールリング
６２ 滑り板
６３ 中間プレート
６４ ゴムプレート
１００ 下シュー
２０１ｃ、２０２ｃ 中シューガイド
２０１ｄ、２０２ｄ 中シューガイド
４０１ａ、４０２ｂ 上シューガイド
４０１ｂ、４０２ｂ 上シューガイド
【図１】
2007182707.tif 000003
【図２】
2007182707.tif 000004
【図３】
2007182707.tif 000005
【図４】
2007182707.tif 000006
【図５】
2007182707.tif 000007
【図６】
2007182707.tif 000008
【図７】
2007182707.tif 000009